(57)【要約】【課題】本発明のカプセル商品自動販売機は、前記操作で通信手段が起動されてカプセル商品の販売や選択データが送信され、かつ有効に活用されるようにすることを目的とする。【解決手段】カプセル商品を収納する商品収納部を備えたカプセル商品自動販売機であって、一端側が前記商品収納部に接続された商品送出口と、コイン投入口と、既定のコインが投入された場合に操作可能となる操作具と、前記操作具の回転操作、上下操作を含む操作に応じて通信手段を起動させる手段とを備えるようにしたことを特徴とするカプセル商品自動販売機。【選択図】図３
2019168861.tif 000002
【特許請求の範囲】
【請求項１】
カプセル商品を収納する商品収納部を備えたカプセル商品自動販売機であって、一端側が前記商品収納部に接続された商品送出口と、コイン投入口と、既定のコインが投入された場合に操作可能となる操作具と、前記操作具の回転操作、上下操作を含む操作に応じて通信手段を起動させる手段とを備えるようにしたことを特徴とするカプセル商品自動販売機。
【請求項２】
前記操作具の回転操作、上下操作を含む操作に応じて通信手段を起動させる手段が、運動エネルギー、圧力、光、温度差をエネルギー変換して通信手段を起動させることができるようにしたことを特徴とする請求項１に記載のカプセル商品自動販売機。
【請求項３】
前記操作具の回転操作、上下操作を含む操作に応じて通信手段を起動させる手段が、電磁誘導型エネルギー変換器によって得た電子回路駆動エネルギーにより通信手段を起動させることができるようにしたことを特徴とする請求項１に記載のカプセル商品自動販売機。
【請求項４】
前記操作具の回転操作、上下操作を含む操作に応じて通信手段を起動させる手段が、小型ソーラーセルによる光エネルギーをエネルギー変換して通信手段を起動させることができるようにしたことを特徴とする請求項１に記載のカプセル商品自動販売機。
【請求項５】
前記操作具の回転操作、上下操作を含む操作に応じて通信手段を起動させる手段が、ラジエータのヒータ部分と設置環境の温度差エネルギーをエネルギー変換して通信手段を起動させることができるようにしたことを特徴とする請求項１に記載のカプセル商品自動販売機。
【発明の詳細な説明】
【技術分野】
【０００１】
本発明は、商品などの入ったカプセルの自動販売機を、複数台備えたカプセル商品自動販売機に関する。
【背景技術】
【０００２】
商品などの入った複数個のカプセルをケースに収容し、金銭の投入などの所定の操作を行うと、複数個のカプセルの中から無作為にカプセルが選択され、取出口に払い出されるカプセル商品自動販売機が、例えば特開昭５９−２２５５１号公報（特許文献１参照）において示されている。
ちなみに、金銭の投入後にツマミの押下げや回転等の所定の操作を行うのが一般的である。
【０００３】
また、複数個のカプセルの中に含まれたプレミアム商品あるいはその引き換え用のタグなどの入った「特定カプセル」が選択され払い出されると、そのことを購入者に音、光などによって知らせるようにしたものが特開平２００６−２６８２４７号公報（特許文献２参照）や特開平２００７−１２２４０４号公報（特許文献３参照）等に存する。
実用新案登録第３１１３６９３号公報（特許文献４参照）は、職場等の環境に適した健康維持・増進剤、及び健康維持・増進剤を簡便な手段により送出する健康維持・増進剤販売機である。
【先行技術文献】
【特許文献】
【０００４】
【特許文献１】特開昭５９−２２５５１号公報
【特許文献２】特開平２００６−２６８２４７号公報
【特許文献３】特開平２００７−１２２４０４号公報
【特許文献４】実用新案登録第３１１３６９３号公報
【発明の概要】
【発明が解決しようとする課題】
【０００５】
しかしながら、いずれのカプセル商品自動販売機も金銭の投入後にツマミの押下げや回転等の所定の操作を行うと、複数個のカプセルの中から無作為にカプセルが選択され、取出口に払い出されるようになっているが、カプセル商品の販売や選択データが有効に活用されるカプセル商品自動販売機とはなっていなかった。
【０００６】
本発明のカプセル商品自動販売機は、金銭の投入後にツマミの押下げや回転等の所定の操作を行うと、複数個のカプセルの中から無作為にカプセルが選択され、取出口に払い出されるようになっており、ツマミの押下げや回転等の所定の操作を行うと、それによって電源が入る構造となっている。
本発明のカプセル商品自動販売機は、さらに前記操作で通信手段が起動されてカプセル商品の販売や選択データが送信され、かつ有効に活用されるようにすることを目的とするものである。
【課題を解決するための手段】
【０００７】
前記目的を達成するために本発明のカプセル商品自動販売機は、カプセル商品を収納する商品収納部を備えたカプセル商品自動販売機であって、一端側が前記商品収納部に接続された商品送出口と、コイン投入口と、既定のコインが投入された場合に操作可能となる操作具と、前記操作具の回転操作、上下操作を含む操作に応じて通信手段を起動させる手段とを備えるようにしたことを特徴とするものである。
【０００８】
本発明のカプセル商品自動販売機において、前記操作具の回転操作、上下操作を含む操作に応じて通信手段を起動させる手段が、運動エネルギー、圧力、光、温度差をエネルギー変換して通信手段を起動させることができるようにしたことをも特徴とするものである。
【０００９】
本発明のカプセル商品自動販売機において、前記操作具の回転操作、上下操作を含む操作に応じて通信手段を起動させる手段が、電磁誘導型エネルギー変換器によって得た電子回路駆動エネルギーにより通信手段を起動させることができるようにしたことをも特徴とするものである。
【００１０】
本発明のカプセル商品自動販売機において、前記操作具の回転操作、上下操作を含む操作に応じて通信手段を起動させる手段が、小型ソーラーセルによる光エネルギーをエネルギー変換して通信手段を起動させることができるようにしたことをも特徴とするものである。
【００１１】
本発明のカプセル商品自動販売機において、前記操作具の回転操作、上下操作を含む操作に応じて通信手段を起動させる手段が、ラジエータのヒータ部分と設置環境の温度差エネルギーをエネルギー変換して通信手段を起動させることができるようにしたことをも特徴とするものである。
【発明の効果】
【００１２】
本発明のカプセル商品自動販売機は、金銭の投入後にツマミの押下げや回転等の所定の操作を行うと、複数個のカプセルの中から無作為にカプセルが選択され、取出口に払い出されるようになっており、さらにツマミの押下げや回転等の所定の操作を行うと、それによって電源が入る構造となっている。
したがって本発明のカプセル商品自動販売機は、前記操作で通信手段が起動されてカプセル商品の販売や選択等のデータが送信されるため、そのようなデータが非常に有効に活用されるようになる。
【図面の簡単な説明】
【００１３】
【図１】本発明のカプセル商品自動販売機の第１の実施例を示す概略斜視図である。
【図２】本発明のカプセル商品自動販売機の第２の実施例を示す概略斜視図である。
【図３】カプセル商品自動販売機をネットワーク内に組み込んだ状態を示す概略図である。
【図４】（ａ），（ｂ）はカプセル商品自動販売機の操作過程を示すフロー図である。
【発明を実施するための形態】
【００１４】
以下、本発明のカプセル商品自動販売機に係る実施の形態を図面に基いて詳細に説明する。
図１はカプセル商品自動販売機の第１の実施例を示すものであり、本実施例においてはカプセル商品１３を収納する商品収納部１２を備えたカプセル商品自動販売機１１を示している。
本実施例におけるカプセル商品自動販売機１１は、一端側が前記商品収納部１２に接続された商品送出口１４と、コイン投入口１５と、既定のコインが投入された場合に操作可能となる操作具１６と、前記操作具１６の回転操作に応じて通信手段１７を起動させる手段とを備えている。
【００１５】
また図２はカプセル商品自動販売機の第２の実施例を示すものであり、本実施例においてもカプセル商品２３を収納する商品収納部２２を備えたカプセル商品自動販売機２１を示している。
本実施例におけるカプセル商品自動販売機２１は、一端側が前記商品収納部２２に接続された商品送出口２４と、コイン投入口２５と、既定のコインが投入された場合に操作可能となる操作具２６と、前記操作具２６の上下操作（押下げ）に応じて通信手段２７を起動させる手段とを備えている。
【００１６】
各実施例のカプセル商品自動販売機１１，２１において、前記操作具１６，２６の回転操作、上下操作を含む操作に応じて通信手段１７，２７を起動させる手段としては、運動エネルギー、圧力、光、温度差等をエネルギー変換して通信を行うことができる装置を用いることができる。
図４（ａ）はカプセル商品自動販売機の第１の操作過程を示すフロー図、図４（ｂ）はカプセル商品自動販売機の第２の操作過程を示すフロー図である。該フロー図に示すように、通信手段１７，２７を起動させる手段により、直接通信手段１７，２７を起動するようにすることも、また前記カプセル商品自動販売機１１，２１本体の電源を入れ、それにともなって通信手段１７，２７を起動するようにすることもできる。
例えばそのような手段として、エネルギーハーベスティング技術を挙げることができる。このエネルギーハーベスティング技術とは運動エネルギー、圧力、光、温度差など、周りの環境に様々な形態で存在するエネルギーを「収穫」（ハーベスト）して、電力に変換する技術であり、環境発電技術とも呼ばれる。
【００１７】
特にエネルギーハーベスティング技術として最近注目が高まっているのは、小型の電子機器向けの独立型電源となりうる、μＷ〜Ｗ程度の出力のエネルギー変換技術であり、ドイツのＥｎＯｃｅａｎ  ＧｍｂＨ社から提供されている。
以上のようなエネルギーハーベスティング技術は，周囲の環境にエネルギーが存在する限り，電力を供給し続けられるため，電源配線や，電池の取換，充電，燃料補給なしに，長期間にわたって自立電源として利用できる。
【００１８】
また、各実施例のカプセル商品自動販売機１１，２１において、前記操作具１６，２６の回転操作、上下操作を含む操作に応じて通信手段１７，２７を起動させる手段としては、電磁誘導型エネルギー変換器によって得た電子回路駆動エネルギーにより通信を行うことができる装置を用いることもできる。
【００１９】
さらに、各実施例のカプセル商品自動販売機１１，２１において、前記操作具１６，２６の回転操作、上下操作を含む操作に応じて通信手段１７，２７を起動させる手段としては、小型ソーラーセルによる光エネルギーをエネルギー変換して通信を行うことができる装置を用いることもできる。
【００２０】
各実施例のカプセル商品自動販売機１１，２１において、前記操作具１６，２６の回転操作、上下操作を含む操作に応じて通信手段１７，２７を起動させる手段としては、ラジエータのヒータ部分と設置環境の温度差エネルギーをエネルギー変換して通信を行うことができる装置を用いることもできる。
【００２１】
図３は前記カプセル商品自動販売機１１，２１をネットワーク内に組み込んだ状態を示すものである。
各実施例のカプセル商品自動販売機１１，２１は、商品収納部１２，２２に子供や大人用の例えばサプリメント等が格納されたカプセル商品１３，２３が収納され、例えば各種の事業所や学校の社食、学食等、スポーツ施設、宿泊施設、建設原画の事務所、またアミューズメントエリアや病院に設置されている。
【００２２】
その上で多数のカプセル商品自動販売機１１，２１は別途管理エリア３１に設置されたサーバ３２等のデータ処理装置に得られた販売数量や残量、販売金額等の販売データを送信する。
そして、サーバ３２等のデータ処理装置は得られたデータに基づき、効率的な商品の補充や集金、品ぞろえ等の販売管理を集中的に行うことができるのである。
【００２３】
なお、前記エネルギーハーベスティング技術を用いて前記操作具１６，２６の回転操作、上下操作を含む操作に応じて通信手段を起動させる手段以外の、例えば小型ソーラーセルによる光エネルギーをエネルギー変換して通信を行う場合は、常時得られる光エネルギーをエネルギー変換して起動可能な状態を保持し、前記操作具１６，２６の回転操作、上下操作を含む操作に応じて通信手段を起動させればよい。
【産業上の利用可能性】
【００２４】
以上の説明から理解できるように、本発明のカプセル商品自動販売機は、前記回転操作、上下操作を含む操作で通信手段が起動されてカプセル商品の販売や選択等のデータが送信されるため、そのようなデータが非常に有効に活用されるようになった。
ちなみに、エネルギーハーベスティング技術や小型ソーラーセルによる光エネルギーをエネルギー変換して得た電力は、「ありがとうございます」等の音声への変換やＬＥＤや電光板等を用いた表示等に用いることができる。
【符号の説明】
【００２５】
１１  カプセル商品自動販売機
１２  商品収納部
１３  カプセル商品
１４  商品送出口
１５  コイン投入口
１６  操作具
１７  通信手段
２１  カプセル商品自動販売機
２２  商品収納部
２３  カプセル商品
２４  商品送出口
２５  コイン投入口
２６  操作具
２７  通信手段
３１  管理エリア
３２  サーバ
【図１】
2019168861.tif 000003
【図２】
2019168861.tif 000004
【図３】
2019168861.tif 000005
【図４】
2019168861.tif 000006
【手続補正書】
【提出日】平成30年11月27日(2018.11.27)
【手続補正１】
【補正対象書類名】特許請求の範囲
【補正対象項目名】全文
【補正方法】変更
【補正の内容】
【特許請求の範囲】
【請求項１】
カプセル商品を収納する商品収納部を備えたカプセル商品自動販売機であって、一端側が前記商品収納部に接続された商品送出口と、コイン投入口と、既定のコインが投入された場合に操作可能となる操作具と、前記操作具の回転操作、上下操作を含む操作に応じてエネルギーハーベスティング技術を作動させることにより販売データの通信手段を起動させる手段とを備えるようにしたことを特徴とするカプセル商品自動販売機。
【手続補正書】
【提出日】平成31年3月27日(2019.3.27)
【手続補正１】
【補正対象書類名】特許請求の範囲
【補正対象項目名】全文
【補正方法】変更
【補正の内容】
【特許請求の範囲】
【請求項１】
カプセル商品を収納する商品収納部を備えたカプセル商品自動販売機であって、
一端側が前記商品収納部に接続された商品送出口と、
コイン投入口と、
既定のコインが投入された場合に操作可能となる操作具と、
前記操作具の回転操作または上下操作に応じて直接エネルギーハーベスティング技術を作動させることにより販売データの通信手段を起動させる手段、
を備えるようにしたことを特徴とするカプセル商品自動販売機。